(57)【特許請求の範囲】
【請求項１】
第１キャラクタと第２キャラクタとからなるディジタルデータの形態でもって文字等の副次的情報がその垂直ブランキング期間中の所定の水平区間に重畳されたテレビジョン信号の伝送方法において、
テレビジョン信号の垂直ブランキング期間中の所定の水平区間に、第１キャラクタとして所定の開始コードを挿入し、第２キャラクタとして上記テレビジョン信号と付随するコピー世代制限情報を挿入したディジタルデータを重畳して伝送することを特徴とするテレビジョン信号の伝送方法。
【請求項２】
請求項１に記載のテレビジョン信号の伝送方法において、
上記所定の水平区間は、第２フィールドの垂直ブランキング期間中の第２１番目の水平区間であり、該水平区間に上記ディジタルデータを重畳して伝送することを特徴とするテレビジョン信号の伝送方法。
【請求項３】
請求項２に記載のテレビジョン信号の伝送方法において、
上記所定の開始コードは、ＸＤＳの第１キャラクタとして規定されているリザーブのスタートコードであり、ＸＤＳの伝送フォーマットを利用して上記コピー世代制限情報を伝送することを特徴とするテレビジョン信号の伝送方法。
【請求項４】
第１キャラクタと第２キャラクタとからなるディジタルデータの形態でもって文字等の副次的情報がその垂直ブランキング期間中の所定の水平区間に重畳されたテレビジョン信号の記録方法において、
テレビジョン信号の垂直ブランキング期間中の所定の水平区間に重畳されているディジタルデータを読み取り、
読み取ったディジタルデータの第１キャラクタが所定の開始コードである場合に、該ディジタルデータの第２キャラクタに上記テレビジョン信号と付随するコピー世代制限情報が挿入されていると識別し、
上記コピー世代制限情報がコピー不可である場合には、上記テレビジョン信号の記録媒体への記録を禁止し、上記コピー世代制限情報がコピー可能である場合には、上記テレビジョン信号および上記コピー世代制限情報を記録媒体に対して記録することを特徴とするテレビジョン信号の記録方法。
【請求項５】
請求項４に記載のテレビジョン信号の記録方法において、
上記所定の水平区間は、第２フィールドの垂直ブランキング期間中の第２１番目の水平区間であり、該水平区間に上記ディジタルデータが重畳されたテレビジョン信号を記録することを特徴とするテレビジョン信号の記録方法。
【請求項６】
請求項５に記載のテレビジョン信号の記録方法において、
上記所定の開始コードは、ＸＤＳの第１キャラクタとして規定されているリザーブのスタートコードであり、ＸＤＳの伝送フォーマットを利用して上記コピー世代制限情報が重畳されたテレビジョン信号を記録することを特徴とするテレビジョン信号の記録方法。
【請求項７】
第１キャラクタと第２キャラクタとからなるディジタルデータの形態でもって文字等の副次的情報がその垂直ブランキング期間中の所定の水平区間に重畳されたテレビジョン信号の記録装置において、
テレビジョン信号の垂直ブランキング期間中の所定の水平区間に重畳されているディジタルデータを読み取る読み取り手段と、
上記読み取り手段で読み取ったディジタルデータの第１キャラクタが所定の開始コードである場合に、該ディジタルデータの第２キャラクタに上記テレビジョン信号と付随するコピー世代制限情報が挿入されていると識別する識別手段と、
上記コピー世代制限情報がコピー不可である場合には、上記テレビジョン信号の記録媒体への記録を禁止し、上記コピー世代制限情報がコピー可能である場合には、上記テレビジョン信号および上記コピー世代制限情報を記録媒体に対して記録する記録制御手段とを有することを特徴とするテレビジョン信号の記録装置。
【請求項８】
請求項７に記載のテレビジョン信号の記録装置において、
テレビジョン信号の垂直ブランキング期間中の上記所定の水平区間とは別の水平区間に重畳される他のコピー世代制限情報を認識可能とされ、
上記他のコピー世代制限情報を上記第２キャラクタに挿入されているコピー世代制限情報より優先して採用し、優先して採用した上記他のコピー世代制限情報によりコピー世代制限を実行するようにしたことを特徴とするテレビジョン信号の記録装置。
【発明の詳細な説明】
【０００１】
【発明の属する技術分野】
この発明は、テレビジョン信号の伝送または記録方法、および記録装置、特に、テレビジョン信号の記録の可否を制御するためのコピー世代制限情報の伝送または記録方法、およびコピー世代制限情報を利用した記録装置に関する。
【０００２】
【従来の技術】
ディジタル信号の形態でテレビジョン信号を記録することが可能なＶＣＲ（ビデオ・カセット・テープレコーダ）、ディジタルビデオディスク等が実用化されつつあり、これらによって高画質の記録再生、並びにコピーが可能となりつつある。従って、著作権を保護するために、コピー世代制限機能の装備が要請されている。
【０００３】
このような要請に応えるべく、５２５ライン／６０フィールドのアナログビデオ信号のコピーの可否を制御するために、垂直ブランキング期間中に挿入される識別信号（ＶＢＩ信号、ビデオＩＤ等と称される。以下の説明では、ＶＢＩ信号と称する。）を利用することが提案されている。ＶＢＩ信号は、１フレームのビデオ信号中の垂直ブランキング期間の２０番目（第１フィールド）および２８３番目（第２フィールド）の水平区間（ライン）に挿入される。
【０００４】
図１７は、ＶＢＩ信号の波形を示す。上記のライン中の水平同期信号およびカラーバースト信号の後の有効ビデオ信号領域に、２ビットのリファレンスおよび２０ビット（ビット１〜ビット２０）のディジタル信号が挿入される。リファレンスのレベルが７０ＩＲＥと規定され、ディジタル信号の２値レベルが０ＩＲＥまたは７０ＩＲＥと規定される。このディジタル信号がＶＢＩ信号として符号化される。リファレンスおよびディジタル信号のクロック周波数ｆｃ  は、色副搬送波周波数をｆｓｃとすると、（ｆｃ  ＝ｆｓｃ／８≒４４７ｋＨｚ）に選定される。２０ビットのディジタル信号は、アスペクト比の異なるビデオ信号の識別信号と伝送方法に関する情報とを含む。
【０００５】
上述のＶＢＩ信号を利用して、コピー世代の制限に関する制御情報（ＣＧＭＳ−Ａ（Ｃｏｐｙ  Ｇｅｎｅｒａｔｉｏｎ  Ｍａｎａｇｅｍｅｎｔ  Ｓｙｓｔｅｍ−Ａｎａｌｏｇ）  と称される。）を伝送することが提案されている。すなわち、伝送信号の構成は、ＶＢＩ信号と同様であって、２０ビットのディジタル信号のコード割り付けを変更する。図１８に示すように、２０ビットのディジタル信号は、１４ビットの情報ビットと、この１４ビットに対するエラー検出用のＣＲＣコード（６ビット）からなる。そして、１４ビットの第１番目のビットおよび第２番目のビットによってワード０が構成され、第３番目のビットから第６番目のビットまでの４ビットによってワード１が構成され、第７番目のビットから第１４番目のビットまでの８ビットによってワード２が構成される。
【０００６】
ワード０（ビット１、ビット２）は、ビデオ信号の伝送形式に関する情報であって、ＶＢＩ信号と同様のコード割り付けである。ワード１（ビット３、ビット４、ビット５、ビット６）は、ワード２で伝送される情報を指定するヘッダである。ワード１の（００００）は、ディジタル録画機器のための情報がワード２によって伝送されることを示す。すなわち、ワード１が（００００）のとき、ディジタル録画・再生機器を相互接続してコピーを行うときのコピー世代制限情報がワード２によって伝送される。
【０００７】
一例として、ワード２の８ビット中の先頭の２ビット（ビット７、ビット８）が図１９に示すように、コピー可能世代を指示する内容とされている。このワード１が（００００）のときの情報を伝送する場合は、少なくとも２秒間に２フレーム以上この情報を伝送するものとされている。この２ビット（ビット７、ビット８）によってコピー世代制限情報が伝送される。
【０００８】
また、アナログＶＣＲへのコピープロテクト技術として、ＡＧＣの基準パルスに相当する同期信号として、レベルが大きな疑似同期信号を挿入し、この疑似同期信号によりＡＧＣが動作することによって、再生信号の振幅をかなり小として、正常な再生を禁止するものも提案されている。
【０００９】
【発明が解決しようとする課題】
上述したＶＢＩ信号を利用してＣＧＭＳ情報（以下、単にＣＧＭＳと称する）を伝送する方法は、テレビジョン放送（例えばディジタルテレビジョン放送）を受信するための受信装置（セットトップボックス、ＩＲＤ（Ｉｎｔｅｇｒａｔｅｄ  Ｒｅｃｅｉｖｅｒ  Ｄｅｃｏｄｅｒ）  等）には、装備されていないので、ディジタルＶＣＲ等のディジタル機器による録画を制限するためには、受信装置をビデオＩＤに対応したものに交換する必要があった。また、ＡＧＣの基準パルスのレベルを用いるものは、単なるコピーの禁止のみで、世代制限を行うことができず、さらに、ＡＧＣの方式が違うＶＣＲでは、コピープロテクトが働かないという問題がある。
【００１０】
従って、この発明の目的は、既存の受信装置によってコピー世代制限情報を伝送することができ、また、受信されたコピー世代制限情報によりコピー世代制限を実行することができるテレビジョン信号の伝送、あるいは記録方法、または記録装置を提供することにある。
【００１１】
【課題を解決するための手段】
請求項１に記載の発明は、第１キャラクタと第２キャラクタとからなるディジタルデータの形態でもって文字等の副次的情報がその垂直ブランキング期間中の所定の水平区間に重畳されたテレビジョン信号の伝送方法において、
テレビジョン信号の垂直ブランキング期間中の所定の水平区間に、第１キャラクタとして所定の開始コードを挿入し、第２キャラクタとしてテレビジョン信号と付随するコピー世代制限情報を挿入したディジタルデータを重畳して伝送することを特徴とするテレビジョン信号の伝送方法である。
【００１２】
請求項４に記載の発明は、第１キャラクタと第２キャラクタとからなるディジタルデータの形態でもって文字等の副次的情報がその垂直ブランキング期間中の所定の水平区間に重畳されたテレビジョン信号の記録方法において、
テレビジョン信号の垂直ブランキング期間中の所定の水平区間に重畳されているディジタルデータを読み取り、
読み取ったディジタルデータの第１キャラクタが所定の開始コードである場合に、該ディジタルデータの第２キャラクタにテレビジョン信号と付随するコピー世代制限情報が挿入されていると識別し、
コピー世代制限情報がコピー不可である場合には、テレビジョン信号の記録媒体への記録を禁止し、コピー世代制限情報がコピー可能である場合には、テレビジョン信号およびコピー世代制限情報を記録媒体に対して記録することを特徴とするテレビジョン信号の記録方法である。
【００１３】
請求項７に記載の発明は、第１キャラクタと第２キャラクタとからなるディジタルデータの形態でもって文字等の副次的情報がその垂直ブランキング期間中の所定の水平区間に重畳されたテレビジョン信号の記録装置において、
テレビジョン信号の垂直ブランキング期間中の所定の水平区間に重畳されているディジタルデータを読み取る読み取り手段と、
読み取り手段で読み取ったディジタルデータの第１キャラクタが所定の開始コードである場合に、該ディジタルデータの第２キャラクタにテレビジョン信号と付随するコピー世代制限情報が挿入されていると識別する識別手段と、
コピー世代制限情報がコピー不可である場合には、テレビジョン信号の記録媒体への記録を禁止し、コピー世代制限情報がコピー可能である場合には、テレビジョン信号およびコピー世代制限情報を記録媒体に対して記録する記録制御手段とを有することを特徴とするテレビジョン信号の記録装置である。
【００１４】
テレビジョン信号の第２フィールドの垂直ブランキング期間中の第２１番目の水平区間に対して、コピー世代制限情報が重畳される。この方式は、米国において採用されているクローズドキャプションのＸＤＳのフォーマットに従うものである。通常、ディジタルテレビジョン放送を受信するためのセットトップボックスあるいはＩＲＤは、このようなフォーマットのテレビジョン信号を出力するエンコーダを有しているので、かかる受信のための端末を交換せずに、コピー世代制限を実現できる。
【００１５】
【発明の実施の形態】
以下、この発明の一実施例について図面を参照して説明する。この一実施例は、米国において採用されているクローズドキャプションという字幕放送のテレビジョン信号を受信し、受信したテレビジョン信号をディジタルＶＣＲ等のディジタルレコーダで記録する場合に適用されるものである。米国においては、テレビジョン受像機がクローズドキャプションのデコーダを装備することが義務付けられている。また、ディジタルテレビジョン放送を受信するための端末も、アナログテレビジョン信号を出力する場合に、クローズドキャプション信号へエンコードして出力する構成を有するのが普通である。
【００１６】
クローズドキャプションは、各フィールドの垂直ブランキング期間内の第２１番目のラインに１４ビット（パリティを除く）のデータを挿入するものである。奇数フィールドおよび偶数フィールドのそれぞれの第２１番目のラインにクローズドキャプションのデータが重畳されるが、実際には、第１フィールドを使用して二つの言語の字幕を伝送するので、他の第３および第４の言語の字幕の伝送に用意されている第２フィールドが使用されることは少ない。そこで、第２フィールドの垂直ブランキング期間の第２１番目（１フレームのラインに通し番号を付したときには第２８４番目）のラインを使用して、他の言語のクローズドキャプションや、テキストの他に、種々の付加情報をのせることが提案されている。これは、エクステンディッド・データ・サービス（ＸＤＳ）と称され、いくつかの伝送内容が規定されている。この発明の一実施例は、ＸＤＳの伝送フォーマットを利用してコピー世代制限情報を伝送するものである。
【００１７】
図１は、ＸＤＳの伝送データの一例を示す。すなわち、ｎ−１、ｎ、ｎ＋１、ｎ＋２、・・・・の各フレームの第２フィールドの第２１番目のラインに対して図示のようなデータが重畳される。ｎ−１番目、ｎ＋２番目からｎ＋ｉ番目までのフレームには、クローズドキャプションのデータがのせられる。クローズドキャプションのデータがＸＤＳのデータに対して優先するので、クローズドキャプションのデータが重畳されていないフレームの第２１番目のラインに対してＸＤＳのデータがのせられる。図の例では、ｎ番目、ｎ＋１番目、ｎ＋ｉ＋１番目、ｎ＋ｉ＋２番目、ｎ＋ｉ＋３番目の各フレームの第２フィールドの第２１番目のラインにＸＤＳフォーマットの信号がのせられている。
【００１８】
ＸＤＳの信号は、ｎ番目のフレームと関連して示す波形でもって、テレビジョン信号に対して重畳される。水平同期信号ＨＤ、バースト信号ＳＢの後の映像期間内に、ＰＬＬの引き込みのためのクロックランイン期間（７サイクル）が設けられ、その後に３ビット（００１）のスタートビットが位置し、スタートビットの後に、２バイト（１６ビット）のディジタル信号が配される。ディジタル信号は、それぞれが１バイトの第１キャラクタ（クラスコードと称される）および第２キャラクタ（タイプコードと称される）に分割される。第１キャラクタおよび第２キャラクタは、ｂ０〜ｂ６の７ビットのデータビットとこの７ビットに対するパリティビットｐとによりそれぞれ構成される。７ビットのデータビットは、ｂ０〜ｂ２までの３ビットと、ｂ３〜ｂ６までの４ビットとに分割してその値を１６進で表すと、００ｈ〜７Ｆｈ（ｈは１６進表示を意味する）の値をとりうる。
【００１９】
図２は、ＸＤＳのデータの規定を示す。第１キャラクタの値の００ｈから０Ｆｈまでがそれぞれ規定される。第１キャラクタの００ｈは、ＮＯＰ（Ｎｏ  Ｏｐｅｒａｔｉｏｎ）を意味する。第１キャラクタの０１ｈ〜０Ｆｈは、ＸＤＳ信号の開始、継続、終了を示し、画面上には第１キャラクタおよび第２キャラクタの信号が表示されない。また、図２には示されないが、第１キャラクタの１０ｈ〜１Ｆｈは、クローズドキャプションおよびテキストのサイズ、色等を制御するためのコントロールコードであり、２０ｈ〜７Ｅｈは、標準文字である。
【００２０】
図２に示されるＸＤＳに関する第１キャラクタの規定において、０１ｈは、“Ｓｔａｒｔ  （ｃｕｒｒｅｎｔ）”  、すなわち、現在放送している番組に関する情報の開始を意味する。０２ｈは、“Ｃｏｎｔ．  （ｃｕｒｒｅｎｔ）”  、すなわち、現在放送している番組に関する情報の継続を意味する。０３ｈは、“Ｓｔａｒｔ  （ｆｕｔｕｒｅ）”、すなわち、将来放送する番組に関する情報の開始を意味し、０４ｈは、“Ｃｏｎｔ．  （ｆｕｔｕｒｅ）”、すなわち、将来放送する番組に関する情報の継続を意味する。０５ｈは、“Ｓｔａｒｔ  （ｃｈａｎｎｅｌ）”  すなわち、そのチャンネルに関する情報の開始を意味し、０６ｈは、“Ｃｏｎｔ．  （ｃｈａｎｎｅｌ）”  、すなわち、そのチャンネルに関する情報の継続を意味する。０７ｈは、“Ｓｔａｒｔ（ｍｉｓｃｅｌｌａｎｅｏｕｓ）”、すなわち、その他の情報の開始を意味する。“（ｍｉｓｃｅｌｌａｎｅｏｕｓ）”  は、その他の情報を意味し、例えばその地域の時刻情報を意味する。そして、第１キャラクタの０Ｆｈが“Ｅｎｄ（ａｌｌ）”、すなわち、ＸＤＳの終了を意味する。
【００２１】
図１の伝送信号の一例において、ｎ番目のフレームの第１キャラクタがＸＤＳの開始を意味するコード（０１ｈ〜０Ｅｈの何れか）であり、その第２キャラクタがＸＤＳのタイプコードである。例えばタイプコードにより時刻情報であることが示されるときには、ｎ＋１番目のフレームおよびｎ＋ｉ＋２番目のフレームにのせられるデータが時刻を表すものである。ＸＤＳデータがクローズドキャプションデータにより中断した場合では、継続を意味するデータの第１キャラクタがｎ＋ｉ＋１番目のフレームにのせられる。そして、ＸＤＳの一連のデータの最後を示す終了コード（０Ｆｈ）が第ｎ＋ｉ＋３番目のフレームにのせられる。この終了コードに続く第２キャラクタとして、一連のＸＤＳデータのエラー検出用のチェックサムが配される。
【００２２】
図２において、ハッチングを付した領域は、既に標準規格として規定されているデータの範囲を示している。第２キャラクタも、ｂ０〜ｂ２の３ビットとｂ３〜ｂ６の４ビットに分割され、３ビットが０〜７の値をとりえ、４ビットが０〜Ｆの値をとりうる。図２において、例えば第１キャラクタが０１ｈの場合では、第２キャラクタの０８ｈ、０Ａｈ、０Ｂｈ、１８ｈ〜１Ｆｈ、２×ｈ（×は、Ｄｏｎ’ｔ  ｃａｒｅを意味する）、３×ｈ〜７×ｈがコードの内容が規定されていない未定義領域である。また、第１キャラクタが０５ｈの場合では、第２キャラクタの０１ｈ〜０３ｈがコードの内容が規定されており、残りのコードについては、内容が規定されていない。この発明では、ＸＤＳの信号の一部としてコピー世代制限情報を伝送するものであり、既に規定されているコードを使用することができない。以下に、ＸＤＳの信号の一部としてコピー世代制限情報（ＣＧＭＳ）を伝送する具体的方法のいくつかの例について説明する。
【００２３】
図３に示す例は、第１キャラクタとして０Ｂｈ（図２においては、“Ｓｔａｒｔ（ｒｅｓｅｒｖｅｄ）”  とされている）を使用し、第２キャラクタとしてＣＧＭＳを伝送するものである。ＣＧＭＳの伝送としては、図２にも示すように、例えば０１ｈ〜０Ｆｈを使用することができる。ＣＧＭＳは、具体的には、前述し、図１９に示すようなＶＢＩ信号におけるものと同様に規定された２ビットを使用することができる。従って、図３における第２キャラクタの例えばビットｂ３およびビットｂ４の２ビットを使用してＣＧＭＳを伝送できる。第１キャラクタの０Ｂｈにより、ＸＤＳであることが識別できると共に、第２キャラクタがＣＧＭＳであることを識別することができる。図３に示す例は、１フレームを単位としてＣＧＭＳを伝送することができる。
【００２４】
図４に示す例は、第１キャラクタとして０１ｈ（図２においては、“Ｓｔａｒｔ（ｃｕｒｒｅｎｔ）”とされている）を使用し、第２キャラクタとしてＣＧＭＳを伝送するものである。若し、途中でＣＧＭＳの伝送が中断した場合では、第２キャラクタとして０２ｈが使用される。ＣＧＭＳの伝送としては、図２に示すように、２０ｈ〜２Ｆｈを使用することができる。ＣＧＭＳとして２ビットを使用する場合では、図４における第２キャラクタの例えばビットｂ３およびビットｂ４の２ビットを使用してＣＧＭＳを伝送できる。第１キャラクタの０１ｈにより、ＸＤＳであることが識別でき、また、第２キャラクタの２×ｈにより、第２キャラクタがＣＧＭＳであることを識別できる。図４の例では、必要な場合には、０Ｆｈの終了コードおよびチェックサムが付加されうる。この例は、１フレームあるいは２フレームを単位としてＣＧＭＳを伝送することができる。
【００２５】
図５に示す例は、図４の例と同様に、第１キャラクタとして０１ｈを使用するが、第２キャラクタを未定義データである０８ｈとするものである。これによって、その後のデータがＣＧＭＳであることを示す。その後のデータ（キャラクタ１およびキャラクタ２）をＣＧＭＳに対して割り当てることができる。このデータ中の２ビットを使用してＣＧＭＳを伝送できる。そして、データの後に、０Ｆｈの終了コードおよびチェックサムを付加する。従って、この例は、３フレームを単位としてＣＧＭＳを伝送することができる。
【００２６】
なお、図２からも分かるように、ＸＤＳの未定義領域は、かなり存在するので、上述した例以外のフォーマットによってＣＧＭＳを伝送することもできる。
【００２７】
さらに、ＸＤＳの１４ビットのデータビットを利用するのに限らず、その前に付加されているスタートビットを利用することもできる。すなわち、図６Ａに示すように、クローズドキャプション、ＸＤＳの場合では、クロックランイン期間の後に配されたスタートビットが（００１）とされている。これに対して、図６Ｂに示すように、スタートビットを（０１０）とし、その後の１６ビットを利用してＣＧＭＳを伝送する。なお、上述したＸＤＳの未定義領域のデータを利用したＣＧＭＳの伝送方法と、スタートビットの変更によるＣＧＭＳの伝送方法とを併用しても良い。
【００２８】
次に、上述したように伝送されるＣＧＭＳを利用してコピー世代制限を行う方法、並びに記録装置例えばディジタルＶＣＲについて説明する。一例として、ディジタル放送により受信されたプログラム（映像、音声）をディジタルＶＣＲにより記録する場合の構成を図７に示す。図７Ａは、ディジタル放送をアンテナ、チューナおよびデコーダ（ＩＲＤ、あるいはセットトップボックス）１で受信し、アナログインターフェースあるいはディジタルインターフェースを介した放送番組をディジタルＶＣＲ２により録画するシステムである。このシステムに対して、この発明は、アナログインターフェースを利用して録画を行う場合に適用できる。
【００２９】
チューナおよびデコーダ１は、図７Ｂに示す構成とされ、また、ディジタルＶＣＲ２は、内部にＸＤＳデコーダ１０を装備している。図７Ｂにおいて、３は、同調回路および周波数変換回路を含むフロントエンドである。フロントエンド３と接続された復調回路４において、ＱＰＳＫ、ＱＡＭ等の復調がなされる。復調回路４の出力がエラー処理回路５に供給され、エラー訂正処理がなされる。エラー処理回路５の出力に、ＭＰＥＧ等の形式のビットストリームが取り出される。このビットストリームがプロセッサ６およびエンコーダ９に供給される。
【００３０】
プロセッサ６では、ＭＰＥＧ等の復号処理、並びにＮＴＳＣ方式等の標準テレビジョン信号のエンコード処理がなされ、その出力にディジタルテレビジョン信号が得られる。そして、Ｄ／Ａ変換器７によって、アナログ信号に変換される。このアナログ信号が混合回路８に供給される。混合回路８には、エンコーダ９で発生したクローズドキャプション信号、ＸＤＳ信号（ＣＧＭＳを含む）が供給され、テレビジョン信号に対してこれらの信号が重畳される。エンコーダ９は、ビットストリーム中に含まれるクローズドキャプション情報から上述したようなクローズドキャプション信号を発生し、また、ビットストリーム中に含まれる付加情報、ＣＧＭＳを読み取って、上述したようなＣＧＭＳを含むＸＤＳ信号を発生する。既存のＩＲＤ、セットトップボックスは、通常この種のエンコーダ９を装備している。
【００３１】
チューナおよびデコーダ１の混合回路８からのアナログ出力がディジタルＶＣＲ２に供給され、テープ上に記録される。ディジタルＶＣＲ２は、ＸＤＳデコーダ１０を装備しているので、ＸＤＳ信号中のＣＧＭＳに従って、世代制限を行いながら、記録動作を行なう。また、ＣＧＭＳをディジタルＶＣＲ２の記録フォーマットに合う形態として、テープ上に記録する。
【００３２】
この発明は、ディジタル放送に限らずアナログ放送（地上波放送）に対しても適用可能である。アナログ放送の場合では、テレビジョン受像機のアナログ出力が上述したように、クローズドキャプション信号、ＸＤＳ信号（ＣＧＭＳを含む）が重畳されたものである。また、この発明は、テレビジョン放送に限らず、記録媒体例えばＤＶＤの再生出力を記録する場合に対しても適用できる。
【００３３】
図８は、ＤＶＤ（ディジタルビデオディスク）プレーヤ１１の再生出力を記録する場合の構成を示す。ＭＰＥＧ等により圧縮符号化されたディジタル信号がＤＶＤ１２から光ピックアップ１３により読み取られる。光ピックアップ１３の再生信号がプリアンプ，波形整形回路１４を介してエラー処理回路１５に供給される。エラー処理回路１５では、エラー訂正符号の復号がなされ、エラーが訂正される。
【００３４】
エラー処理回路１５からの再生データがＭＰＥＧの復号等の処理を行なうプロセッサ１６およびエンコーダ１９に供給される。プロセッサ１６からディジタル信号が発生し、このディジタル信号がＤ／Ａ変換器１７によりアナログ信号へ変換される。アナログ信号が混合回路１８に供給され、混合回路１８において、エンコーダ１９からのクローズドキャプション信号、ＸＤＳ信号（ＣＧＭＳを含む）が重畳される。ＤＶＤプレーヤ１１からのアナログ出力が図７の例と同様に、ディジタルＶＣＲによってテープ上に記録される。
【００３５】
ディジタルＶＣＲの場合では、アナログインターフェースにより供給されるテレビジョン信号中に含まれるＣＧＭＳは、磁気テープにおいては、ＡＵＸデータとして記録され、また、再生される。その一例を図９および図１０に示す。図９は、ＶＡＵＸデータの構成を示し、（０１１００００１）（６１ｈ）（ｈは１６進表示を表す）のパックヘッダを持つパックである。
【００３６】
このパックには、ＰＣ１の上位２ビットにＣＧＭＳが記録される。ＣＧＭＳの記録の一例を下記に示す。
００；コピー可能
０１；未使用
１０；コピー１世代可能
１１；コピー不可
この規定は、ＶＢＩ信号を利用した録画情報における定義（図１９参照）、並びにこの発明の一実施例におけるＣＧＭＳの定義と同一である。
【００３７】
また、ＰＣ１中のコピーソースは、下記のように規定される。
００；アナログ入力によるコピー
０１：ディジタル入力によるコピー
１０；予備
１１；情報なし
【００３８】
ＰＣ１中のコピー世代の定義を下記に示す。
００；第１世代
０１：第２世代
１０：第３世代
１１：第４世代
【００３９】
図１０は、オーディオ信号に関する補助データである、ＡＡＵＸデータの一例を示す。このパックのヘッダは、（０１０１０００１）（５１ｈ）である。このパックのＰＣ１には、ＶＡＵＸと同様の構成で、コピー世代制限に関する情報が記録される。
【００４０】
上述した図７に示すディジタル放送で受信したプログラムを録画するシステム、または図８に示すＤＶＤの再生出力を録画するシステムにおいても、ＣＧＭＳによって、コピーを禁止することが可能である。しかしながら、実際的には、上述したシステムにおける録画を可能とし、すなわち、１世代のコピーを可能とし、録画されたテープを２台のディジタルＶＣＲによってコピーすること（すなわち、第２世代のコピー）を禁止することが多い。この場合では、ディジタル放送により受信したデータ中のＣＧＭＳが（１０）（１世代コピー可）とされており、このデータを記録したディジタルＶＣＲのテープ上のＣＧＭＳが（１１）（コピー禁止）へ書き換えられる。
【００４１】
２台のディジタルＶＣＲを使用してコピーを行う場合の構成を図１１に示す。図１１は、ヘリカルスキャン方式の２台のディジタルＶＣＲ２１および２２を使用し、ディジタルＶＣＲ２１によって再生されたアナログビデオ信号をディジタルＶＣＲ２２によって記録する例である。
【００４２】
ディジタルＶＣＲ２１において、カセットテープおよび回転ヘッドからなるテープ・ヘッド機構２３により再生され、図示しない再生信号処理回路を介されることによって再生アナログビデオ信号が得られる。これとともに、テープ上に記録されている、ビデオ信号と関連した補助的データＡＵＸ（ＶＡＵＸおよびＡＡＵＸ）がＡＵＸデータ処理回路２５に供給される。ＡＵＸデータ中には、上述したパック構造によって、コピー世代制限に関するＣＧＭＳが挿入されている。ＡＵＸデータ処理回路２５は、再生信号から分離されたデータＡＵＸ中のＣＧＭＳを読み取る。
【００４３】
ＡＵＸデータ処理回路２５で読み取られたＣＧＭＳがＸＤＳエンコーダ２６に供給される。ＸＤＳエンコーダ２６では、上述したようなＣＧＭＳを含むＸＤＳ信号を発生し、このＸＤＳ信号を混合器２４に供給する。混合器２４には、テープ・ヘッド機構２３から再生され、再生信号処理によって得られたアナログビデオ信号が供給され、その所定の位置にＸＤＳ信号が挿入される。
【００４４】
ディジタルＶＣＲ２１で再生されたアナログ信号がディジタルＶＣＲ２２に供給される。アナログ入力が図示しない記録信号処理回路を経てテープ・ヘッド機構３３に供給され、カセットテープに記録される。また、アナログ入力からＸＤＳ信号が抽出され、ＸＤＳデコーダ３６に抽出されたＸＤＳ信号が供給される。ＸＤＳデコーダ３６は、ＸＤＳ信号の情報、特に、ＣＧＭＳを読み取り、ＣＧＭＳを解釈し、デコード結果をＡＵＸデータ処理回路３５に供給する。
【００４５】
ＡＵＸデータ処理回路３５は、ＣＧＭＳを上述したパック構成に変換し、記録信号処理回路に供給し、テープ・ヘッド機構３３によってビデオおよびオーディオデータとともにテープ上に記録する。ＡＵＸデータ処理回路３５では、データフォーマットをパック構造に変換するとともに、ＣＧＭＳの書き換えがなされる。すなわち、アナログ入力中のＸＤＳ信号から抽出されたＣＧＭＳの２ビットが００（コピー可能）の場合には、ディジタルＶＣＲ２２で記録されるＣＧＭＳが変更されずに、（００）とされる。また、これが（１０）（コピー１世代可能）の場合では、ディジタルＶＣＲ２２で記録されるＣＧＭＳが（１１）（コピー禁止）に変更される。さらに、これが（１１）（コピー不可）の場合では、ＣＧＭＳを変更する必要がなく、ディジタルＶＣＲ２２の録画動作が禁止される。
【００４６】
図１２は、再生側ＶＣＲ２１のより詳細な構成を示す。テープ・ヘッド機構２３は、回転ドラムに設けられたヘッドと、カセットテープから引き出されドラムの周面に斜めに巻き付けられた磁気テープとを含み、この磁気テープに記録処理がされたビデオ信号が記録される。一例として、１フレーム当りのヘリカルトラック数は、１０トラック（５２５ライン／６０フィールドの場合）、または１２トラック（６２５ライン／５０フィールドの場合）である。
【００４７】
各ヘリカルトラックには、オーディオ記録エリア、ビデオ記録エリア、サブコード記録エリアが分離して設けられる。これらのエリアに対して、同期信号を先頭に有するシンクブロックの構成のオーディオデータ、ビデオデータ、サブコードが記録される。補助的データであるＡＡＵＸがオーディオデータとともにオーディオ記録エリアに記録され、ＶＡＵＸがビデオデータとともにビデオ記録エリアに記録される。ＡＡＵＸ、ＶＡＵＸおよびサブコードは、上述したような共通のパック構造で記述される。図９および図１０にそれぞれ示される例のように、１つのパックが５バイトで構成され、先頭の１バイトがヘッダ、残りの４バイトがデータとされる。
【００４８】
図１２において、４１は、テープ・ヘッド機構２３からの再生信号が供給される再生信号処理回路である。この回路４１には、再生アンプ、ディジタル変調の復調回路、オーディオデータ、ビデオデータ、サブコードを分離して出力するためのデータ分離回路等が含まれる。再生信号処理回路４１に対して、ディジタルＩ／Ｆ（インターフェース）４２、オーディオ信号処理回路４３、ビデオ信号処理回路４４、システムデータ処理回路４５が接続される。ここで、システムデータとは、ビデオデータおよびオーディオデータ以外のデータを意味し、ＶＡＵＸ、ＡＡＵＸおよびサブコードを指す。
【００４９】
ディジタルＩ／Ｆ４２では、再生されたディジタルデータ（ビデオデータ、オーディオデータおよびシステムデータを含む）がビットストリームに変換され、これが出力端子ｔ１に取り出される。オーディオ信号処理回路４３では、エラー訂正、ディシャフリング処理等の処理がされ、その出力オーディオデータがＤ／Ａ変換器４６に供給される。Ｄ／Ａ変換器４６からのアナログオーディオ出力が出力端子ｔ２に取り出される。
【００５０】
ビデオ信号処理回路４４では、エラー訂正、ディシャフリング処理等の処理がされ、その出力ビデオデータがＤ／Ａ変換器４７に供給される。Ｄ／Ａ変換器４７からアナログビデオ出力が発生する。このアナログビデオ出力が混合回路４８に供給される。混合回路４８には、同期信号発生回路４９からの同期信号およびＸＤＳエンコーダ５０からのＸＤＳ信号が供給され、混合回路４８にてこれらの信号がアナログビデオ信号に対して重畳される。混合回路４８からのアナログ出力が出力端子ｔ３に取り出される。
【００５１】
システムデータ処理回路４５は、ＶＡＵＸ、ＡＡＵＸ、サブコードを処理し、図示しないが、再生処理に必要なコントロール信号を発生する。図１１中のＡＵＸデータ処理回路２５がシステムデータ処理回路４５と対応する。また、システムデータ処理回路４５によって、ＡＡＵＸおよびＶＡＵＸに記録されているＣＧＭＳが読み取られ、ＣＧＭＳに応じてＸＤＳエンコーダ５０が制御される。すなわち、テープ・ヘッド機構２３により再生されたテープ上のＣＧＭＳがＸＤＳエンコーダ５０に対して供給され、上述したようなＸＤＳ信号のフォーマットへ変換される。このＸＤＳエンコーダ５０が図１１中のＸＤＳエンコーダ２６と対応する。
【００５２】
図１３は、記録側ディジタルＶＣＲ２２の構成を示す。図１２の再生側ディジタルＶＣＲ２１の出力端子ｔ１と接続される入力端子ｔ１１、出力端子ｔ２と接続される入力端子ｔ１２、出力端子ｔ３と接続される入力端子ｔ１３をディジタルＶＣＲ２２が備える。入力端子ｔ１１と接続されたディジタルＩ／Ｆ６１では、エラー検出や、ビットストリームデータをディジタルＶＣＲにより処理されるフォーマットへ変換する処理がなされる。
【００５３】
ディジタルＩ／Ｆ６１の出力データは、コントローラ６２に供給されると共に、スイッチＳＷを介してシステムデータ処理回路６３に供給される。システムデータ処理回路６３では、上述したように、テープから再生されたＣＧＭＳに応じてＣＧＭＳが書き換えられる。システムデータ処理回路６３が図１１中のＡＵＸデータ処理回路３５と対応する。コントローラ６２によりスイッチＳＷが制御される。つまり、ディジタルＩ／Ｆ６１の出力がシステムデータの場合には、スイッチＳＷの入力端子が出力端子ａと接続され、これがシステムデータ以外の場合では、スイッチＳＷの入力端子が出力端子ｂと接続される。
【００５４】
スイッチＳＷの出力端子ａに対して遅延回路６４が接続され、遅延回路６４に対して混合回路６５が接続される。混合回路６５の出力データがゲート回路６６に供給される。ゲート回路６６を介されたディジタル信号が記録信号処理回路６７に供給される。記録信号処理回路６７は、ディジタル変調等の処理を行う。記録信号処理回路６７からの記録信号がテープ・ヘッド機構３３に供給され、テープ上に回転ヘッドによって記録される。
【００５５】
ゲート回路６６は、システムデータ処理回路６３からの制御信号によって制御される。ディジタルＩ／Ｆ６１を介されたディジタル信号中のＣＧＭＳが（１１）（コピー不可）の場合には、制御信号によってゲート回路６６がオフとされ、コピーが禁止される。一方、ＣＧＭＳが（００）（コピー可能）または（１０）（コピー１世代可能）の場合には、制御信号によってゲート回路６６がオンとされ、コピーが可能とされる。なお、このゲート回路６６は、ビデオデータとオーディオデータと別個にオン／オフできるようにされている。このようにしてディジタルコピーが再生側ディジタルＶＣＲ２１により再生されるテープ上のＣＧＭＳに従ってなされる。
【００５６】
入力端子ｔ１２からのアナログオーディオ信号がゲート回路６８に供給され、入力端子ｔ１３からのアナログビデオ信号がＡＧＣ回路６９およびＸＤＳデコーダ７１に供給される。ＡＧＣ回路６９の出力がゲート回路７０に供給される。オン状態のゲート回路６８から出力されるアナログオーディオ信号がＡ／Ｄ変換器７２に供給される。Ａ／Ｄ変換器７２からのディジタルオーディオ信号がオーディオ信号処理回路７３に供給される。オン状態のゲート回路７０から出力されるアナログビデオ信号がＡ／Ｄ変換器７４に供給され、Ａ／Ｄ変換器７４からのディジタルビデオ信号がビデオ信号処理回路７５に供給される。
【００５７】
オーディオ信号処理回路７３は、シャフリング、エラー訂正符号化等の記録処理を行い、記録ディジタルオーディオ信号が混合回路７６に供給される。ビデオ信号処理回路７５も、シャフリング、エラー訂正符号化等の記録処理を行い、記録ディジタルビデオ信号が混合回路７６に供給される。さらに、混合回路７６には、システムデータ処理回路６３で生成されたシステムデータ（ＡＡＵＸ、ＶＡＵＸおよびサブコード）も供給される。混合回路７６から記録ディジタルデータが得られる。この記録ディジタルデータの伝送レートは、４０．５Ｍｂｐｓ  である。記録ディジタルデータがさらに、記録信号処理回路６７に供給され、この回路６７において、ディジタル変調、記録増幅の処理を受ける。記録信号処理回路６７からの記録信号がテープ・ヘッド機構３３に供給され、磁気テープ上に記録される。
【００５８】
ＸＤＳデコーダ７１は、図１１中のＸＤＳデコーダ３６と対応する。このＸＤＳデコーダ７１は、アナログ信号中の第２１ラインに挿入されている、上述したＸＤＳ信号を検出し、ＸＤＳ信号中のＣＧＭＳをデコードすることによって、ゲート回路６８および７０に対する制御信号を発生する。すなわち、ＣＧＭＳ中の２ビットが（１１）（コピー不可）の場合には、制御信号によってゲート回路６８および７０がオフとされ、アナログコピーが禁止される。一方、ＣＧＭＳが（００）（コピー可能）または（１０）（コピー１世代可能）の場合には、制御信号によってゲート回路６８および７０がオンとされ、アナログコピーが可能とされる。
【００５９】
さらに、ＸＤＳデコーダ７１でデコードされた情報がシステムデータ処理回路６３に供給され、この情報が記録ディジタルデータに含まれるＡＡＵＸ、ＶＡＵＸ、サブコードに反映される。この場合、ＣＧＭＳの書き換えがシステムデータ処理回路６３においてなされる。すなわち、ＸＤＳデコーダ７１でデコードされたＣＧＭＳの２ビットが（００）の場合には、記録データに付加される２ビットが変更されずに（００）とされる。また、（１０）の場合には、コピーが１回なされたので、記録データに付加される２ビットが（１１）に変更される。さらに、（１１）の場合には、コピー禁止であるため、２ビットを変更する必要がない。
【００６０】
上述したように、ディジタルＶＣＲ２１により再生されたアナログＨＤ信号中にテープ上に記録されていたＣＧＭＳをＸＤＳ信号として挿入しているので、この再生アナログＨＤ信号をディジタルＶＣＲ２２によりコピーする場合の制御を正しく行なうことができる。
【００６１】
図１４は、ディジタルＶＣＲに装備されるＸＤＳデコーダ（図７中のＸＤＳデコーダ１０、図１１中のＸＤＳデコーダ３６、図１３中のＸＤＳデコーダ７１）の一例の構成を示す。入力ビデオ信号がフィルタ８１および同期分離回路８２に供給される。カットオフ周波数が２〜３ＭＨｚのフィルタ８１により不要信号成分が除去され、データスライサ８３に供給され、スライサ８３によって２値化される。スライサ８３の出力がゲート回路８４に供給される。
【００６２】
同期分離回路８２によって垂直同期信号ＶＤおよび水平同期信号ＨＤが分離され、これらの同期信号がラインカウンタ８５に供給される。ラインカウンタ８５は、水平同期信号をカウントすると共に、垂直同期信号でリセットされる。ラインカウンタ８５のカウント出力がラインデコーダ８６に供給され、各フィールドの第２１番目のラインと対応したゲートパルスが生成される。このゲートパルスがゲート回路８４に供給され、第２１番目のラインの信号がゲート回路８４により選択される。
【００６３】
また、ゲート回路８４の出力がレジスタ８７およびゲート回路８８に供給される。水平同期信号ＨＤからゲートパルス生成回路８９がランイン期間を選択するゲートパルスを生成し、このゲートパルスが与えられるゲート回路８８からは、ランイン期間の信号が出力される。ＰＬＬ９０は、ランイン期間の信号と同期したクロック信号を生成し、このクロック信号をサンプルパルス生成回路９１に供給する。
【００６４】
生成されたサンプルパルスがレジスタ８７へ第２１番目のラインのＸＤＳ信号を取り込むためのクロックとして使用される。レジスタ８７に格納されたデータ列は、マイクロコンピュータのソフトウェア処理によって、デコードされる。ＸＤＳ信号中にＣＧＭＳを挿入している場合では、第２１番目のラインのＣＧＭＳが毎フレーム検出される。ＣＧＭＳの認識の処理については、後述するが、図４の方法でＣＧＭＳが重畳されている場合では、第１キャラクタが（０１ｈ）（開始）または（０２ｈ）（継続）かどうかを決定し、そうであれば、さらに第２キャラクタが（２０ｈ〜２Ｆｈ）かどうかを決定することによって、ＣＧＭＳを認識する。
【００６５】
図１５は、ＸＤＳデコーダの他の構成を示す。フィルタ８１からのビデオ信号がＡ／Ｄ変換器９１によってディジタル信号へ変換され、このディジタル信号がレジスタ８７へ供給される。水平同期信号ＨＤがゲートパルス生成回路８９およびＰＬＬ９０へ供給される。水平同期信号と一定の位相関係にあるＰＬＬ９０の出力がサンプルパルス生成回路９１へ供給される。
【００６６】
サンプルパルス生成回路９１の出力がＡ／Ｄ変換器９１およびゲート回路９２に供給される。サンプルパルス生成回路８９からの第２１番目のラインと対応したパルスもゲート回路９２に供給される。ゲート回路９２は、第２１番目のラインのＸＤＳ信号を取り込むためのクロックをレジスタ８７に対して供給する。なお、サンプルパルス生成回路９１で生成されるサンプルパルスがある程度以上の周波数であれば、水平同期信号にロックしている必要はない。
【００６７】
図１４あるいは図１５におけるレジスタ８７に取り込まれたＸＤＳ信号からＣＧＭＳを認識するマイクロコンピュータの処理の一例を図１６のフローチャートに示す。ここでは、図４の形式でＣＧＭＳが重畳されているものとする。最初のステップＳ１では、ある範囲内（水平同期信号ＨＤのタイミングを基準とした範囲内）に｀０’  ｀１’  の繰り返しが７個あるかどうかが決定される。このステップＳ１では、クロックランイン期間の存在を検出している。若し、これが無ければ、クローズドキャプション信号、ＸＤＳ信号ではないので、ＣＧＭＳデータがないものと決定される（ステップＳ７）。
【００６８】
クロックランイン期間の存在が検出されると、次のステップＳ２において、スタートビットが（００１）かどうかが決定される。そうでなければ、ステップＳ７のＣＧＭＳデータが無いものと決定され、処理が終了する。スタートビットの存在が検出されると、次のステップＳ３において、パリティチェックがなされる。パリティビットｐによる偶数あるいは奇数パリティのチェックである。パリティチェックの結果がＮＧであれば、処理がステップＳ７に移って終了する。パリティチェックの結果がＯＫならば、処理は、ステップＳ４へ移る。
【００６９】
ステップＳ４では、第１キャラクタが０１ｈまたは０２ｈかどうかが決定される。そうであれば、次のステップＳ５において、第２キャラクタが上位３ビット（ＭＳＢ）が２ｈかどうかが決定される。そうであれば、第２キャラクタの下位４ビット（ＬＳＢ）をＣＧＭＳとして出力する（ステップＳ６）。若し、ステップＳ４およびＳ５の決定が否定の場合では、ステップＳ７に処理が移って終了する。
【００７０】
なお、図１６のフローチャートのＣＧＭＳの認識の処理は、一例であって、ＣＧＭＳを他の形式でＸＤＳ信号として重畳している場合には、その方式に応じたソフトウェア処理がなされる。
【００７１】
なお、日本の場合は、米国と同様にＮＴＳＣ信号が標準テレビジョン信号の規格として採用されているが、第２１番目のラインは、文字多重放送で使用されていることを配慮して、第２０番目のラインにＶＢＩ信号を挿入し、これを利用してＣＧＭＳを伝送している。従って、ディジタルＶＣＲは、ＶＢＩ信号に対応してコピー世代制限を行う構成とされる。一方、上述したこの発明の一実施例は、ＸＤＳフォーマットの第２１番目のラインにＣＧＭＳをのせるものである。その結果、この発明により記録されたカセットテープをＶＢＩ信号にしか対応していないディジタルＶＣＲにより記録する場合では、コピー世代制限ができないことになる。
【００７２】
このような問題を生じないために、ディジタルＶＣＲとして、ＸＤＳのみならず、ＶＢＩ信号に対応した構成とする。すなわち、ビデオ入力側にＸＤＳデコーダおよびＶＢＩデコーダの両方を備え、ビデオ出力側に両方のエンコーダを備える構成とする。但し、この方法は、二つのタイプのエンコーダおよびデコーダを必要とし、ハードウエアの規模が大きくなり、処理が複雑化する。そこで、ビデオ入力側には、アナログ入力中の第２０番目のラインおよび第２１番目のラインに重畳されている信号の両方をデコード可能な構成を有し、第２０番目のラインのＶＢＩ信号を優先して認識できる構成とする。一方、ビデオ出力側には、ＶＢＩ信号のエンコーダのみを設け、そのディジタルＶＣＲのアナログ出力は、ＶＢＩ信号のみの形式でＣＧＭＳを含むようにする。このようにすることにより、ディジタルＶＣＲは、アナログビデオ入力側にのみ、第２１番目のラインの信号のデコード機能を持つだけで、放送事業者や著作権者の権利を保護することができる。
【００７３】
例えば放送により送られるテレビジョン信号中に（１０）（１世代コピー可能）のＣＧＭＳが含まれる時に、このテレビジョン信号および（１１）（コピー禁止）に書き換えられたＣＧＭＳをテープ上に記録する。そして、このテープを再生する場合に、ＶＢＩ信号の形式でＣＧＭＳを再生ビデオ信号中に重畳する。この再生出力を受け取ったディジタルＶＣＲは、ＶＢＩエンコーダによって、ＣＧＭＳを第２０番目のラインに重畳して出力する。記録側のディジタルＶＣＲは、第２０番目のラインのＣＧＭＳを優先して認識するので、コピー動作が禁止されることになる。
【００７４】
なお、この発明は、アナログビデオ信号を記録できる記録媒体としては、磁気テープに限らず、磁気ディスク等の他の記録媒体を使用しても良い。
【００７５】
【発明の効果】
この発明は、例えばクローズドキャプション信号と関連して規定されているＸＤＳ信号中にコピー世代制限情報（著作権情報）を挿入することができ、放送事業者の著作権を保護することができる。アナログテレビジョン放送の受信機のみならず、ディジタルテレビジョン放送において使用されている既存のセットトップボックス、ＩＲＤを交換しなくても、そこから出力されるアナログ出力中にＣＧＭＳを含むことができる。また、ＸＤＳフォーマットを用いることによって、他の付加的情報の伝送と共存することができる。さらに、第２０番目のラインに重畳されるＶＢＩ信号と併用し、且つＶＢＩ信号によるＣＧＭＳの認識を優先させることによって、日本等の第２１番目のラインにＣＧＭＳを重畳できない地域においても、著作権の保護が確保され、また、ＶＣＲの構成を簡略化することができる。
【図面の簡単な説明】
【図１】この発明の一実施例におけるコピー世代制限情報を伝送するための信号フォーマットの一例を示す略線図である。
【図２】この発明の一実施例におけるＸＤＳ信号のフォーマットを説明するための略線図である。
【図３】ＸＤＳ信号のフォーマットでコピー世代制限情報を伝送する方法の一例を説明するための略線図である。
【図４】ＸＤＳ信号のフォーマットでコピー世代制限情報を伝送する方法の他の例を説明するための略線図である。
【図５】ＸＤＳ信号のフォーマットでコピー世代制限情報を伝送する方法のさらに他の例を説明するための略線図である。
【図６】ＸＤＳ信号のフォーマットのスタートビットを利用してコピー世代制限情報を伝送する方法を説明するための略線図である。
【図７】この発明をディジタル放送番組の記録に応用した例を説明するためのブロック図である。
【図８】この発明をディジタルビデオディスクの再生信号の記録に応用した例を説明するためのブロック図である。
【図９】この発明においてコピーの制限に関する情報を伝送するためのディジタルデータ構成の一例を示す略線図である。
【図１０】この発明においてコピーの制限に関する情報を伝送するためのディジタルデータ構成の一例を示す略線図である。
【図１１】ディジタルＶＣＲを使用したコピーの場合の概略的構成を示すブロック図である。
【図１２】ディジタルＶＣＲを使用したコピーの場合の記録側ディジタルＶＣＲの構成を示すブロック図である。
【図１３】ディジタルＶＣＲを使用したコピーの場合の再生側ディジタルＶＣＲの構成を示すブロック図である。
【図１４】ＸＤＳ信号のデコーダの一例のブロック図である。
【図１５】ＸＤＳ信号のデコーダの他の例のブロック図である。
【図１６】ＸＤＳ信号中に含まれるＣＧＭＳ情報を認識するための処理の一例を示すフローチャートである。
【図１７】標準ビデオ信号に対して適用されるＶＢＩ信号の波形を示す略線図である。
【図１８】ＶＢＩ信号のデータ構造を示す略線図である。
【図１９】ＶＢＩ信号を使用して録画機器のための情報を伝送する場合のビット割り付けを示す略線図である。
【符号の説明】
１  チューナおよびデコーダ
２  記録側ディジタルＶＣＲ
９  エンコーダ
１０  ＸＤＳデコーダ
【図１】
0003613858.tif 000002
【図２】
0003613858.tif 000003
【図３】
0003613858.tif 000004
【図４】
0003613858.tif 000005
【図５】
0003613858.tif 000006
【図６】
0003613858.tif 000007
【図７】
0003613858.tif 000008
【図８】
0003613858.tif 000009
【図９】
0003613858.tif 000010
【図１０】
0003613858.tif 000011
【図１１】
0003613858.tif 000012
【図１２】
0003613858.tif 000013
【図１３】
0003613858.tif 000014
【図１４】
0003613858.tif 000015
【図１５】
0003613858.tif 000016
【図１６】
0003613858.tif 000017
【図１７】
0003613858.tif 000018
【図１８】
0003613858.tif 000019
【図１９】
0003613858.tif 000020